【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
宛先候補を含む宛先リストを管理する管理システムであって、
第１の利用者が前記管理システムにログインする際に用いられる第１の識別情報に関連付けられた第１の宛先リストと、第２の利用者が前記管理システムにログインする際に用いられる前記第２の識別情報に関連付けられた第２の宛先リストを管理し、前記第１の宛先リストには、前記第１の識別情報を用いて通信するための宛先候補である前記第２の識別情報を含み、前記第２の宛先リストには、前記第２の識別情報を用いて通信するための宛先候補である前記第１の識別情報を含む、宛先リスト管理手段と、
所定の宛先候補を削除する要求に基づいて、前記第１の宛先リストから前記第２の識別情報に対応する宛先候補を削除する一方で、前記第２の宛先リストから、前記第１の識別情報に対応する宛先候補を削除する削除手段と、
を有することを特徴とする管理システム。
【請求項２】
前記第１の識別情報は、前記第１の識別情報及び前記第２の識別情報とは異なる管理者の識別情報に管理対象として関連付けられた複数の識別情報に含まれ、
前記所定の宛先候補を削除する要求は、宛先候補を削除する対象として、前記複数の識別情報の中から前記第１の識別情報が前記管理者によって指定された要求であることを特徴とする請求項１に記載の管理システム。
【請求項３】
前記複数の識別情報の一覧を前記管理システムに前記管理者の識別情報に基づいてログインした管理者端末に送信する送信手段と、
前記所定の宛先候補を削除する要求を前記管理者端末から受信する受信手段と、
を有する請求項２に記載の管理システム。
【請求項４】
前記送信手段は、前記削除手段によって削除された前記第１の識別情報に対応する宛先候補、および前記第２の識別情報に対応する宛先候補に対して、前記削除が完了した旨を示す削除完了通知を送信することを特徴とする請求項３に記載の管理システム。
【請求項５】
前記所定の宛先候補を削除する要求において、特定の宛先リストから複数の特定の宛先候補が削除する宛先候補として指定された場合には、前記削除手段は、前記所定の宛先候補を削除する要求に基づき、前記特定の宛先リストから、前記複数の特定の宛先候補を削除する一方で、前記複数の特定の宛先候補に対応する識別情報それぞれに関連付けられた各宛先リストから、前記特定の宛先リストに関連付けられた識別情報に対応する宛先候補をそれぞれ削除することを特徴とする請求項１乃至４のいずれか一項に記載の管理システム。
【請求項６】
前記削除手段は、前記管理者の識別情報に管理対象として関連付けられた複数の識別情報のうち、特定の識別情報を削除する要求に基づいて、前記管理者の識別情報に管理対象として関連付けられた複数の識別情報から前記特定の識別情報を削除することを特徴とする請求項２乃至４のいずれか一項に記載の管理システム。
【請求項７】
前記第１の宛先リストに含まれる第２の識別情報及び前記第２の宛先リストに含まれる第１の識別情報は、前記第１の利用者からの承認依頼に対して前記第２の利用者から承認の応答があった場合に、前記第１の宛先リスト及び前記第２の宛先リストそれぞれに登録された宛先候補の情報であることを特徴とする請求項１乃至６のいずれか一項に記載の管理システム。
【請求項８】
前記第１の宛先リストは、前記第１の識別情報を用いて前記管理システムへログイン要求した第１の伝送端末において表示され、該第１の宛先リストに含まれる宛先候補の指定を受け付けることによって、該指定された宛先候補とコンテンツデータを送信又は受信するセッションを確立するためのリストであることを特徴とする請求項１乃至７のいずれか一項に記載の管理システム。
【請求項９】
前記第１の識別情報は、前記第１の識別情報を用いて前記管理システムへログイン要求した第１の伝送端末に記憶されている識別情報又は前記第１の伝送端末に対して利用者が入力した識別情報であって、前記第２の識別情報は、前記第２の識別情報を用いて前記管理システムへログイン要求した第２の伝送端末に記憶されている識別情報又は前記第２の伝送端末に対して利用者が入力した識別情報であることを特徴とする請求項１乃至８のいずれか一項に記載の管理システム。
【請求項１０】
前記宛先候補を用いて開始される２つ以上の伝送端末の間の通信は、画像データ、音データ、テキストデータのうち少なくとも１つが含まれるコンテンツデータによる通信であることを特徴とする請求項１乃至９のいずれか一項に記載の管理システム。
【請求項１１】
宛先候補を含む宛先リストを管理する管理システムが実行する管理方法であって、
前記管理システムは、
第１の利用者が前記管理システムにログインする際に用いられる第１の識別情報に関連付けられた第１の宛先リストと、第２の利用者が前記管理システムにログインする際に用いられる前記第２の識別情報に関連付けられた第２の宛先リストを管理し、前記第１の宛先リストには、前記第１の識別情報を用いて通信するための宛先候補である前記第２の識別情報を含み、前記第２の宛先リストには、前記第２の識別情報を用いて通信するための宛先候補である前記第１の識別情報を含む、宛先リスト管理手段を有し、
所定の宛先候補を削除する要求に基づいて、前記第１の宛先リストから前記第２の識別情報に対応する宛先候補を削除する一方で、前記第２の宛先リストから、前記第１の識別情報に対応する宛先候補を削除する削除ステップと、
を実行することを特徴とする管理方法。
【請求項１２】
第１の利用者が前記管理システムにログインする際に用いられる第１の識別情報に関連付けられた第１の宛先リストと、第２の利用者が前記管理システムにログインする際に用いられる前記第２の識別情報に関連付けられた第２の宛先リストを管理し、前記第１の宛先リストには、前記第１の識別情報を用いて通信するための宛先候補である前記第２の識別情報を含み、前記第２の宛先リストには、前記第２の識別情報を用いて通信するための宛先候補である前記第１の識別情報を含む、宛先リスト管理手段を有する管理システムに、
所定の宛先候補を削除する要求に基づいて、前記第１の宛先リストから前記第２の識別情報に対応する宛先候補を削除する一方で、前記第２の宛先リストから、前記第１の識別情報に対応する宛先候補を削除する削除ステップ
を実行させるためのプログラム。
【請求項１３】
管理者が操作する管理者端末と、宛先候補を含む宛先リストを管理する管理システムからなるシステムであって、
前記管理システムは、
第１の利用者が前記管理システムにログインする際に用いられる第１の識別情報に関連付けられた第１の宛先リストと、第２の利用者が前記管理システムにログインする際に用いられる前記第２の識別情報に関連付けられた第２の宛先リストを管理し、前記第１の宛先リストには、前記第１の識別情報を用いて通信するための宛先候補である前記第２の識別情報を含み、前記第２の宛先リストには、前記第２の識別情報を用いて通信するための宛先候補である前記第１の識別情報を含む、宛先リスト管理手段を有し、
前記管理者端末は、
前記管理者によって削除する宛先候補が指定された所定の宛先候補を削除する要求を前記管理システムへ送信する送信手段を有し、
前記管理システムは、更に、
前記所定の宛先候補を削除する要求に基づいて、前記第１の宛先リストから前記第２の識別情報に対応する宛先候補を削除する一方で、前記第２の宛先リストから、前記第１の識別情報に対応する宛先候補を削除する削除手段
を有することを特徴とするシステム。
【請求項１４】
管理者が操作する管理者端末と、宛先候補を含む宛先リストを管理する管理システムからなるシステムが実行する方法であって、
前記管理者端末において
前記管理者によって削除する宛先候補が指定された所定の宛先候補を削除する要求を前記管理システムへ送信する送信ステップ
を実行し、
第１の利用者が前記管理システムにログインする際に用いられる第１の識別情報に関連付けられた第１の宛先リストと、第２の利用者が前記管理システムにログインする際に用いられる前記第２の識別情報に関連付けられた第２の宛先リストを管理し、前記第１の宛先リストには、前記第１の識別情報を用いて通信するための宛先候補である前記第２の識別情報を含み、前記第２の宛先リストには、前記第２の識別情報を用いて通信するための宛先候補である前記第１の識別情報を含む、宛先リスト管理手段を有する管理システムにおいて、
所定の宛先候補を削除する要求に基づいて、前記第１の宛先リストから前記第２の識別情報に対応する宛先候補を削除する一方で、前記第２の宛先リストから、前記第１の識別情報に対応する宛先候補を削除する削除ステップ
を実行することを特徴とする方法。
【手続補正２】
【補正対象書類名】明細書
【補正対象項目名】発明の名称
【補正方法】変更
【補正の内容】
【発明の名称】管理システム、管理方法、プログラム、システム及び方法
【手続補正３】
【補正対象書類名】明細書
【補正対象項目名】０００５
【補正方法】変更
【補正の内容】
【０００５】
しかしながら、特許文献２に記載の発明では、伝送端末が自ら宛先リストを管理しておらず、この伝送端末に通信ネットワークを介して接続された管理サーバ（管理システム）が宛先リストを管理している。このような場合に、特許文献２には、宛先リストから宛先候補を削除する方法が開示されていない。
【手続補正４】
【補正対象書類名】明細書
【補正対象項目名】０００６
【補正方法】変更
【補正の内容】
【０００６】
請求項１に係る発明は、宛先候補を含む宛先リストを管理する管理システムであって、第１の利用者が前記管理システムにログインする際に用いられる第１の識別情報に関連付けられた第１の宛先リストと、第２の利用者が前記管理システムにログインする際に用いられる前記第２の識別情報に関連付けられた第２の宛先リストを管理し、前記第１の宛先リストには、前記第１の識別情報を用いて通信するための宛先候補である前記第２の識別情報を含み、前記第２の宛先リストには、前記第２の識別情報を用いて通信するための宛先候補である前記第１の識別情報を含む、宛先リスト管理手段と、所定の宛先候補を削除する要求に基づいて、前記第１の宛先リストから前記第２の識別情報に対応する宛先候補を削除する一方で、前記第２の宛先リストから、前記第１の識別情報に対応する宛先候補を削除する削除手段と、を有することを特徴とする管理システムである。
【手続補正５】
【補正対象書類名】明細書
【補正対象項目名】０００７
【補正方法】変更
【補正の内容】
【０００７】
以上説明したように本発明によれば、管理システム側で宛先リストを管理している場合であっても、この宛先リストから所望の宛先候補を削除することができるという効果を奏する。